(57)【要約】【課題】可撓管を小さな曲率半径で曲げなくてもすむように挿入部可撓管案内溝と接続可撓管案内溝とを交差させた構成をとりながら、挿入部可撓管を接続可撓管と接触させることなく確実に滅菌消毒することができる可撓性内視鏡滅菌用トレイを提供すること。【解決手段】挿入部可撓管１が緩く嵌め込まれる挿入部可撓管案内溝１１と接続可撓管４が緩く嵌め込まれる接続可撓管案内溝１４とが各々表面部分１０から窪んだ状態に形成されていて、挿入部可撓管案内溝１１と接続可撓管案内溝１４との交差部である可撓管案内溝交差部Ａにおいて、一方の案内溝１１がその案内溝１１に嵌め込まれる可撓管１の直径より大きな深度差で他方の案内溝１４より深く形成されて、可撓管案内溝交差部Ａにおいて挿入部可撓管１と接続可撓管４とが直接接触しないように構成されている。【選択図】      図１
2006255055.tif 000002
【特許請求の範囲】
【請求項１】
挿入部可撓管の基端に操作部が連結されて、光源装置に接続されるコネクタが先端に取り付けられた接続可撓管が上記操作部から延出した構成の可撓性内視鏡を、滅菌装置に格納する際に載置するための可撓性内視鏡滅菌用トレイにおいて、
上記挿入部可撓管が緩く嵌め込まれる挿入部可撓管案内溝と上記接続可撓管が緩く嵌め込まれる接続可撓管案内溝とが各々表面部分から窪んだ状態に形成されていて、上記挿入部可撓管案内溝と上記接続可撓管案内溝との交差部である可撓管案内溝交差部において、一方の案内溝がその案内溝に嵌め込まれる可撓管の直径より大きな深度差で他方の案内溝より深く形成されて、上記可撓管案内溝交差部において上記挿入部可撓管と上記接続可撓管とが直接接触しないように構成されていることを特徴とする可撓性内視鏡滅菌用トレイ。
【請求項２】
上記可撓管案内溝交差部において、上記挿入部可撓管案内溝が上記挿入部可撓管の直径より大きな深度差で上記接続可撓管案内溝より深く形成されている請求項１記載の可撓性内視鏡滅菌用トレイ。
【請求項３】
上記可撓性内視鏡滅菌用トレイに上記可撓性内視鏡が載置されて上記挿入部可撓管案内溝内に上記挿入部可撓管が嵌め込まれた状態では、上記挿入部可撓管が上記可撓性内視鏡の他の部分に一切接触しない状態になる請求項１又は２記載の可撓性内視鏡滅菌用トレイ。
【発明の詳細な説明】
【技術分野】
【０００１】
この発明は、可撓性内視鏡を滅菌装置に格納する際に載置するための可撓性内視鏡滅菌用トレイに関する。
【背景技術】
【０００２】
可撓性内視鏡滅菌用トレイは一般に、挿入部可撓管が嵌め込まれる挿入部可撓管案内溝と、光源装置に接続されるコネクタが先端に取り付けられた接続可撓管が嵌め込まれる接続可撓管案内溝等が各々表面部分から窪んだ状態に形成されている。
【０００３】
そして、挿入部可撓管と接続可撓管が直接接触すると、内視鏡検査の際に人体内に挿入される挿入部可撓管の滅菌消毒が不完全になる可能性があるので、挿入部可撓管案内溝と接続可撓管案内溝とが交差しないように構成されている（例えば、特許文献１）。
【特許文献１】特開２００２−１７８２４
【発明の開示】
【発明が解決しようとする課題】
【０００４】
しかし、滅菌装置内に格納するために大きさに一定の制限がある可撓性内視鏡滅菌用トレイにおいて、上述のように挿入部可撓管案内溝と接続可撓管案内溝とが交差しないように構成するためには、挿入部可撓管案内溝のカーブ部分の曲率半径を小さく形成する必要が生じる。
【０００５】
そのため、挿入部可撓管が小さな曲率半径で無理に曲げられた状態で高圧蒸気等を用いた滅菌装置内の高温高圧の環境下に繰り返し置かれることになり、それが挿入部可撓管の早期破損の原因になる場合がある。
【０００６】
そのため、挿入部可撓管の径が太い機種等に用いられるトレイの場合には挿入部可撓管案内溝と接続可撓管案内溝とが交差するように構成せざるを得ないが、そのようにすると、人体内に挿入される挿入部可撓管の滅菌が交差部において不完全になってしまう恐れが生じる。
【０００７】
そこで本発明は、可撓管を小さな曲率半径で曲げなくてもすむように挿入部可撓管案内溝と接続可撓管案内溝とを交差させた構成をとりながら、挿入部可撓管を接続可撓管と接触させることなく確実に滅菌消毒することができる可撓性内視鏡滅菌用トレイを提供することを目的とする。
【課題を解決するための手段】
【０００８】
上記の目的を達成するため、本発明の可撓性内視鏡滅菌用トレイは、挿入部可撓管の基端に操作部が連結されて、光源装置に接続されるコネクタが先端に取り付けられた接続可撓管が操作部から延出した構成の可撓性内視鏡を、滅菌装置に格納する際に載置するための可撓性内視鏡滅菌用トレイにおいて、挿入部可撓管が緩く嵌め込まれる挿入部可撓管案内溝と接続可撓管が緩く嵌め込まれる接続可撓管案内溝とが各々表面部分から窪んだ状態に形成されていて、挿入部可撓管案内溝と接続可撓管案内溝との交差部である可撓管案内溝交差部において、一方の案内溝がその案内溝に嵌め込まれる可撓管の直径より大きな深度差で他方の案内溝より深く形成されて、可撓管案内溝交差部において挿入部可撓管と接続可撓管とが直接接触しないように構成されているものである。
【０００９】
なお、可撓管案内溝交差部において、挿入部可撓管案内溝が挿入部可撓管の直径より大きな深度差で接続可撓管案内溝より深く形成されていてもよく、可撓性内視鏡滅菌用トレイに可撓性内視鏡が載置されて挿入部可撓管案内溝内に挿入部可撓管が嵌め込まれた状態では、挿入部可撓管が可撓性内視鏡の他の部分に一切接触しない状態になるようにするとよい。
【発明の効果】
【００１０】
本発明によれば、挿入部可撓管案内溝と接続可撓管案内溝との交差部において、一方の案内溝がその案内溝に嵌め込まれる可撓管の直径より大きな深度差で他方の案内溝より深く形成されて、可撓管案内溝交差部において挿入部可撓管と接続可撓管とが直接接触しないように構成されているので、可撓管を小さな曲率半径で曲げなくてもすむように挿入部可撓管案内溝と接続可撓管案内溝とを交差させた構成をとりながら、挿入部可撓管を接続可撓管等と接触させることなく確実に滅菌消毒することができる。
【発明を実施するための最良の形態】
【００１１】
挿入部可撓管の基端に操作部が連結されて、光源装置に接続されるコネクタが先端に取り付けられた接続可撓管が操作部から延出した構成の可撓性内視鏡を、滅菌装置に格納する際に載置するための可撓性内視鏡滅菌用トレイにおいて、挿入部可撓管が緩く嵌め込まれる挿入部可撓管案内溝と接続可撓管が緩く嵌め込まれる接続可撓管案内溝とが各々表面部分から窪んだ状態に形成されていて、挿入部可撓管案内溝と接続可撓管案内溝との交差部である可撓管案内溝交差部において、一方の案内溝がその案内溝に嵌め込まれる可撓管の直径より大きな深度差で他方の案内溝より深く形成されて、可撓管案内溝交差部において挿入部可撓管と接続可撓管とが直接接触しないように構成されている。
【実施例】
【００１２】
図面を参照して本発明の実施例を説明する。
図３は、使用後に蒸気滅菌するために本発明の可撓性内視鏡滅菌用トレイに載せられる可撓性内視鏡の一例を示しており、体内に挿入される挿入部可撓管１の基端に操作部２が連結され、図示されていない光源装置（件ビデオプロセッサ）に接続されるコネクタ部３が先端に取り付けられた接続可撓管４が操作部２から延出している。
【００１３】
図４は可撓性内視鏡滅菌用トレイの一実施例の平面図、図５はその斜視図であり、可撓性内視鏡滅菌用トレイは、病院の内視鏡室内等に設置される蒸気滅菌装置内に格納できる大きさの長方形状に形成されている。
【００１４】
そのような可撓性内視鏡滅菌用トレイの外辺に近い部分には挿入部可撓管１を緩く嵌め込むための挿入部可撓管案内溝１１が形成され、接続可撓管４を緩く嵌め込むための接続可撓管案内溝１４が挿入部可撓管案内溝１１の内側に並ぶ形で形成されている。
【００１５】
操作部２を緩く嵌め込むための操作部嵌め込み溝１２とコネクタ部３を緩く嵌め込むためのためのコネクタ部嵌め込み溝１３は、各々挿入部可撓管案内溝１１と重なり合わないように挿入部可撓管案内溝１１の内側のスペースに形成され、接続可撓管案内溝１４とは共に一部で重なり合っている。
【００１６】
図４におけるVI−VI断面を図示する図６に示されるように、可撓性内視鏡滅菌用トレイには中程の深さの位置に平面部１０（表面部分）が形成されていて、挿入部可撓管案内溝１１は底部近くの深い位置に形成されている。また、図６に図示されていない操作部嵌め込み溝１２、コネクタ部嵌め込み溝１３及び接続可撓管案内溝１４等も、平面部１０から適宜潜った深さに形成されている。
【００１７】
なお、VI−VI断面の位置には挿入部可撓管案内溝１１が並列に二列に分かれて形成されており、可撓性内視鏡の機種の相違等に応じて挿入部可撓管案内溝１１を選択してその一方に挿入部可撓管１を通すことができる。
【００１８】
１５は水抜き孔であり、挿入部可撓管案内溝１１以外の各部にも多数形成されている。１６は、蒸気滅菌装置内に設けられている受け等に係合させるための鍔であり、外縁部の全周にわたって形成されている。
【００１９】
また、挿入部可撓管１を小さな曲率半径でカーブさせる必要がないように挿入部可撓管案内溝１１を形成してあることにより、挿入部可撓管案内溝１１と接続可撓管案内溝１４とが挿入部可撓管案内溝１１の操作部嵌め込み溝１２に近い部分で交差している。
【００２０】
Ａがその挿入部可撓管案内溝１１と接続可撓管案内溝１４との交差部である可撓管案内溝交差部であり、図４におけるII−II断面を図示する図２に示されるように、可撓管案内溝交差部Ａにおいては、挿入部可撓管案内溝１１が挿入部可撓管１の直径より大きな深度差で接続可撓管案内溝１４より深く形成されている。
【００２１】
図７は、上述のように構成された可撓性内視鏡滅菌用トレイに可撓性内視鏡が載置された状態の平面図、図８はその状態に置かれた可撓性内視鏡だけを抜き出して示しており、先ず操作部２が操作部嵌め込み溝１２に嵌め込まれて、挿入部可撓管１が挿入部可撓管案内溝１１に嵌め込まれ、次いで接続可撓管４が接続可撓管案内溝１４に嵌め込まれて最後にコネクタ部３がコネクタ部嵌め込み溝１３に嵌め込まれる。
【００２２】
このとき、可撓管案内溝交差部Ａにおいて挿入部可撓管１と接続可撓管４とが交差することになるが、挿入部可撓管案内溝１１が挿入部可撓管１の直径より大きな深度差で接続可撓管案内溝１４より深く形成されていることにより、図１に示されるように、可撓管案内溝交差部Ａにおいて挿入部可撓管１と接続可撓管４との間に隙間が形成され、挿入部可撓管１と接続可撓管４とが直接接触する状態にはならない。
【００２３】
なお、挿入部可撓管１、接続可撓管４その他可撓性内視鏡の各部２，３に満遍なく滅菌蒸気が接触するようにするため、挿入部可撓管案内溝１１、接続可撓管案内溝１４その他の溝１２，１３の底面に小さな突起を飛び飛びに形成する等の工夫をして、挿入部可撓管１、接続可撓管４その他可撓性内視鏡の各部２，３が挿入部可撓管案内溝１１、接続可撓管案内溝１４その他の溝１２，１３内で僅かに浮いた状態にするとよいが、その場合でも、可撓管案内溝交差部Ａにおいて挿入部可撓管１と接続可撓管４が接触しないよう、挿入部可撓管案内溝１１と接続可撓管案内溝１４との間に挿入部可撓管１の直径より大きな深度差を形成しておく。
【００２４】
図７及び図８に戻って、両図に示されるＢの位置において、平面的にはコネクタ部３の先端が挿入部可撓管１と交差しているかのようであるが、コネクタ部３の先端はトレイの平面部１０上に載った状態になっていて、挿入部可撓管案内溝１１の底部に位置する挿入部可撓管１との間には深さ方向に大きな隙間がある。
【００２５】
また、接続可撓管４は人体内に挿入される部分ではないので挿入部可撓管１ほど完全な滅菌を必要とするものではなく、Ｃ、Ｄ及びＥの各部において接続可撓管４がコネクタ部３及び操作部２と交差しているが、ここでも接続可撓管４はコネクタ部３と操作部２に対して深さ方向に隙間をあけて配置されている。
【００２６】
なお、本発明は上記実施例に限定されるものではなく、例えば、可撓管案内溝交差部Ａにおいて接続可撓管案内溝１４を挿入部可撓管案内溝１１より深く形成して、接続可撓管４の直径より大きな深度差を設けても差し支えない。また、本発明のトレイが高温高圧の蒸気以外の例えばエチレンオキサイドガスその他の手段で滅菌されるものであってもよい。
【図面の簡単な説明】
【００２７】
【図１】本発明の実施例の可撓性内視鏡滅菌用トレイに可撓性内視鏡が載せられた状態における可撓管案内溝交差部の断面図である。
【図２】本発明の実施例の可撓性内視鏡滅菌用トレイの可撓管案内溝交差部の断面図（図４におけるII−II断面図）である。
【図３】本発明の実施例の可撓性内視鏡滅菌用トレイに載せられる可撓性内視鏡の一例の外観図である。
【図４】本発明の実施例の可撓性内視鏡滅菌用トレイの平面図である。
【図５】本発明の実施例の可撓性内視鏡滅菌用トレイの斜視図である。
【図６】本発明の実施例の可撓性内視鏡滅菌用トレイの図４におけるVI−VI断面図である。
【図７】本発明の実施例の可撓性内視鏡滅菌用トレイに可撓性内視鏡が載せられた状態の平面図である。
【図８】本発明の実施例の可撓性内視鏡滅菌用トレイに載せられた状態の可撓性内視鏡だけを抜き出して示す平面図である。
【符号の説明】
【００２８】
１  挿入部可撓管
４  接続可撓管
１０  平面部（表面部分）
１１  挿入部可撓管案内溝
１４  接続可撓管案内溝
Ａ  可撓管案内溝交差部
【図１】
2006255055.tif 000003
【図２】
2006255055.tif 000004
【図３】
2006255055.tif 000005
【図４】
2006255055.tif 000006
【図５】
2006255055.tif 000007
【図６】
2006255055.tif 000008
【図７】
2006255055.tif 000009
【図８】
2006255055.tif 000010